(57)【特許請求の範囲】
【請求項１】
カメラと無関係な機能を実現する第１の動作モードを設定するモード設定手段と、
撮影レンズのレンズカバーと、
前記レンズカバーを開閉させるレンズカバー駆動手段と、
前記モード設定手段によって前記第１の動作モードが設定されると、前記レンズカバーを閉成させるべく前記レンズカバー駆動手段を制御する制御手段と、
前記第１の動作モードでのカメラと無関係な機能を操作するためのリモコンと、
前記リモコンが接続されるリモコン端子と、を備え、
前記撮影レンズは沈胴式レンズであり、前記レンズカバーが閉じられる前に沈胴位置に駆動され、
前記第１の動作モードでのカメラ内電源は、前記モード設定手段によって前記第１の動作モードが設定され、前記リモコン端子に前記リモコンが接続されて該リモコンが操作されると、ＯＮになることを特徴とする電子カメラ。
【請求項２】
前記第１の動作モードは、カメラ内の記録メディアに記録されている音楽ファイルを再生するオーディオ再生機能、電子ブック機能、電子手帳機能、及び携帯電話機能のうちの少なくとも１つを実現する動作モードを含むことを特徴とする請求項１の電子カメラ。
【請求項３】
前記モード設定手段によって前記第１の動作モードが設定されると、前記制御手段は、撮影動作を実現するためのカメラ本体に設けられたスイッチからの入力を受け付けないようにしたことを特徴とする請求項１又は２の電子カメラ。
【請求項４】
被写体を撮像して得た画像データをカメラ内の記録メディアに記録する撮影モードと、カメラ内の記録メディアに記録された画像データに基づいて画像をモニタに表示する再生モードとを有し、
前記制御手段は、前記撮影モードの設定時に前記レンズカバーを開放させるべく前記レンズカバー駆動手段を制御し、前記再生モードの設定時には前記レンズカバーを開閉制御しないことを特徴とする請求項１乃至３のいずれかに記載の電子カメラ。
【請求項５】
前記モード設定手段は、前記第１の動作モードと、電子カメラに関連する機能を実現する第２の動作モードとを設定することを特徴とする請求項１乃至４のいずれかに記載の電子カメラ。
【発明の詳細な説明】
【技術分野】
【０００１】
本発明は電子カメラに係り、特にレンズカバーの開閉機能を有する電子カメラに関する。
【背景技術】
【０００２】
一般にこの種のレンズカバーは、電源のＯＮ／ＯＦＦに応じて自動的に開閉制御されるようになっている。
また、カメラモードとＶＴＲ（再生）モードとを切り替え可能なカメラ一体型ＶＴＲにおいて、カメラモード時にはレンズカバーを開き、ＶＴＲモード時にはレンズカバーを閉じるようにしたものがある（特許文献１）。
【特許文献１】特開平５−２３２５４６号公報
【発明の開示】
【発明が解決しようとする課題】
【０００３】
ところで、被写体を撮像して得た画像データをカメラ内の記録メディアに記録する電子カメラにおいて、撮影や画像データに全く無関係な機能（例えば、音楽再生など）を併せ持つものは未だない。
【０００４】
また、電子カメラに上記のような別機能を併せ持たせ、近年のデジタル機器の小型化／軽量化に伴って携帯性をよくし、衣服のポケット等に入れて持ち歩くことを想定した場合、撮影レンズのような傷や汚れにシビアな部分を保護することは重要であるが、電源がＯＮしている時に一律にレンズカバーを開放させると、上記のように撮影や画像データに全く無関係な機能を利用している場合に、撮影レンズを保護することができないという問題がある。
【０００５】
一方、特許文献１に記載のカメラ一体型ＶＴＲは、ＶＴＲモード時にはレンズカバーが閉じて撮影レンズを保護することができるが、撮影モードと再生（撮影画像確認）モードとを交互に切り替えるように操作が行われると、再生モードに切り替わる毎にレンズカバーが閉じてしまい、撮影操作の俊敏性を損なうという問題がある。
【０００６】
本発明はこのような事情に鑑みてなされたもので、撮影操作の俊敏性を保ちつつ、カメラと無関係な機能を実現する動作モードでは撮影レンズを保護し、携帯性の向上を図ることができる電子カメラを提供することを目的とする。
【課題を解決するための手段】
【０００７】
前記目的を達成するために、請求項１に係る電子カメラは、カメラと無関係な機能を実現する第１の動作モードを設定するモード設定手段と、撮影レンズのレンズカバーと、前記レンズカバーを開閉させるレンズカバー駆動手段と、前記モード設定手段によって前記第１の動作モードが設定されると、前記レンズカバーを閉成させるべく前記レンズカバー駆動手段を制御する制御手段と、前記第１の動作モードでのカメラと無関係な機能を操作するためのリモコンと、前記リモコンが接続されるリモコン端子と、を備え、前記撮影レンズは沈胴式レンズであり、前記レンズカバーが閉じられる前に沈胴位置に駆動され、前記第１の動作モードでのカメラ内電源は、前記モード設定手段によって前記第１の動作モードが設定され、前記リモコン端子に前記リモコンが接続されて該リモコンが操作されると、ＯＮになることを特徴としている。
【０００８】
即ち、前記第１の動作モードが設定された場合には、カメラと無関係な機能が使用されるため、撮影レンズを保護するために自動的にレンズカバーを閉じるようにしている。また、前記第１のモードが設定されてもリモコン端子にリモコンが接続されていない場合には、カメラ内電源はＯＦＦの状態に維持され、リモコン端子にリモコンを接続した後、リモコンを操作すると、カメラ内電源がＯＮになる。
【０００９】
請求項２に示すように請求項１に記載の電子カメラにおいて、前記第１の動作モードは、カメラ内の記録メディアに記録されている音楽ファイルを再生するオーディオ再生機能、電子ブック機能、電子手帳機能、及び携帯電話機能のうちの少なくとも１つを実現する動作モードを含むことを特徴としている。
【００１０】
請求項３に示すように請求項１又は２に記載の電子カメラにおいて、前記モード設定手段によって前記第１の動作モードが設定されると、前記制御手段は、撮影動作を実現するためのカメラ本体に設けられたスイッチからの入力を受け付けないようにしたことを特徴としている。これにより、カメラの携帯中の誤動作を防止するようにしている。
【００１１】
請求項４に示すように請求項１から３のいずれかに記載の電子カメラにおいて、被写体を撮像して得た画像データをカメラ内の記録メディアに記録する撮影モードと、カメラ内の記録メディアに記録された画像データに基づいて画像をモニタに表示する再生モードとを有し、前記制御手段は、前記撮影モードの設定時に前記レンズカバーを開放させるべく前記レンズカバー駆動手段を制御し、前記再生モードの設定時には前記レンズカバーを開閉制御しないことを特徴としている。即ち、再生モードの設定時にはレンズカバーは開閉制御されず、その結果、撮影モードと再生モードとを交互に切り替えるように操作を行う場合でも、レンズカバーは開いた状態で維持され、撮影操作の俊敏性を損なうことがない。
【００１２】
請求項５に示すように請求項１から４のいずれかに記載の電子カメラにおいて、前記モード設定手段は、本願請求項５に示すように前記第１の動作モードと、電子カメラに関連する機能を実現する第２の動作モードとを設定することを特徴としている。
【発明の効果】
【００１３】
本発明によれば、カメラと関係する動作モードではレンズカバーを開け、撮影レンズを露出させて何時でも撮影可能な状態（撮影操作の俊敏性）を維持することができ、一方、カメラと無関係な機能を実現する動作モードではレンズカバーを閉じるようにしたため、撮影レンズを保護することができる。また、カメラと無関係な機能を実現する動作モードでは、その動作モードでの機能を操作するためのリモコンがリモコン端子に接続されていることを条件にカメラ内電源がＯＮできるようにし、これにより不用意にカメラ内電源がＯＮされないようにしている。
【発明を実施するための最良の形態】
【００１４】
以下添付図面に従って本発明に係る電子カメラの好ましい実施の形態について詳説する。
【００１５】
図１乃至図５はそれぞれ本発明に係る電子カメラの外観を示す正面図、背面図、平面図、底面図、及び右側面図である。
【００１６】
この電子カメラは、オーディオ再生機能付きデジタルカメラ１０であり、図１乃至図５に示すように偏平な略直方体状の外観を有し、衣服のポケットに入るサイズに形成されている。
【００１７】
図１に示すデジタルカメラ１０の前面には、沈胴式の撮影レンズ１２、ファインダー窓１４、ストロボ１６、ストロボ調光センサー１８、及びセルフタイマーランプ２０が設けられている。また、デジタルカメラ１０の前面には、前記撮影レンズ１２の沈胴位置で開閉されるレンズカバー２２（図６参照）が設けられている。尚、図１では、レンズカバー２２が開放された状態に関して示している。
【００１８】
図２に示すデジタルカメラ１０の背面には、ファインダ２４、モードダイヤルＳＷ２、順コマ送りスイッチＳＷ４、逆コマ送りスイッチＳＷ５、及び液晶モニタ４０等が設けられている。図３に示すデジタルカメラ１０の上面には、電源スイッチを兼ねたモード設定スイッチＳＷ１、及びシャッターボタンＳＷ３が設けられている。
【００１９】
図４に示すデジタルカメラ１０の底面には、メモリカード（スマートメディア）のスロットカバーを兼ねた電池カバー４８、及び三脚ねじ穴５０が設けられている。図５に示すデジタルカメラ１０の側面（グリップと反対側の側面）には、音声／映像出力端子５４、音声出力端子を含むリモコン端子５６、デジタル（ＵＳＢ）端子５８、及び電源入力端子６０が設けられている。
【００２０】
前記電源スイッチを兼ねたモード設定スイッチＳＷ１は、図３上でツマミが右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００２１】
尚、モード設定スイッチＳＷ１によってオーディオモードが設定されている場合には、カメラ本体の各種のスイッチは機能せず、前記リモコン端子５６に接続したイヤホン（ヘッドホン）付きのリモコン（図示せず）のスイッチのみを受け付けるようになっている。また、モード設定スイッチＳＷ１によってオーディオモードが設定されてもリモコン端子５６にリモコンが接続されていない場合には、カメラ内電源はＯＦＦの状態に維持され、リモコン端子５６にリモコンを接続した後、リモコンを操作すると、カメラ内電源がＯＮになる。
【００２２】
図２に示したモードダイヤルＳＷ２は、カメラモードにおけるカメラの機能を変更するもので、モードダイヤル２６を回動操作することにより、スチル撮影を行う撮影モード、又は撮影した画像を再生する再生モードを設定する。
液晶モニタ４０は、電子ビューファインダとして使用できるとともに、撮影した画像やカメラに装填されたメモリカードから読み出した再生画像等を表示することができる。また、液晶モニタ４０は、撮影可能コマ数や再生コマ番号の表示、ストロボ発光の有無、マクロモード表示、記録画質（クオリティー）表示、画素数表示等の情報も表示される。
【００２３】
図６はデジタルカメラ１０の内部構成を示したブロック図である。
【００２４】
同図において、中央処理装置（ＣＰＵ）は、前述したモード設定スイッチＳＷ１、モードダイヤルＳＷ２、シャッターボタンＳＷ３、図示しないリモコン等からの入力に基づいてデジタルカメラ１０内の各回路を統括制御する。
【００２５】
まず、モード設定スイッチＳＷ１がＯＦＦモードからカメラモードに設定されると、ＣＰＵ７０はこれを検出し、カメラ内電源をＯＮにするとともに、レンズカバー２２を開放するための制御等を行う。また、モード設定スイッチＳＷ１がカメラモードからＯＦＦモード又はオーディオモードに設定されると、ＣＰＵ７０はこれを検出し、レンズカバー２２を閉成するための制御等を行う。
【００２６】
ここで、レンズカバー２２を開放する場合には、ＣＰＵ７０はドライバ６２を介してモータ６４を正転させ、レンズカバー２２を閉成する場合には、ドライバ６２を介してモータ６４を逆転させる信号を出力する。また、レンズカバー２２を閉成する場合には、予め撮影レンズ１２が沈胴位置に移動するように制御している。
【００２７】
さて、モード設定スイッチＳＷ１によってカメラモードが設定され、モードダイヤルＳＷ２によって撮影モードが設定され、シャッターボタン４２が押されると、ＣＰＵ７０はこれを検知し、スチル撮影を行わせ、その撮影時によって得た１コマ分の画像データをメモリカード７２に記録させる。即ち、ＣＰＵ７０は、フォーカス制御及び露出制御を行い、撮影レンズ１２を介して被写体光を固体撮像素子（ＣＣＤ）７４の受光面上に結像させる。
【００２８】
ＣＣＤ７４は、受光面に結像された被写体光をその光量に応じた量の信号電荷に変換する。このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるとともに増幅され、Ａ／Ｄ変換器７８に加えられる。Ａ／Ｄ変換器７８は、ＣＤＳ回路７６から順次加えられるＲ、Ｇ、Ｂ信号を１０ビット（０〜１０２３）のデジタルのＲ、Ｇ、Ｂ信号に変換して画像信号処理回路８０に出力する。
【００２９】
画像信号処理回路８０は、Ａ／Ｄ変換器７８から加えられる点順次のＲ、Ｇ、Ｂ信号を同時式に変換する同時化処理、ホワイトバランス調整、ガンマ補正、ＹＣ信号処理等の所定の画像処理を行う。この画像信号処理回路８０のＹＣ信号処理によって作成された輝度信号Ｙとクロマ信号Ｃｒ、Ｃｂ（ＹＣ信号）は、圧縮・伸長回路８２によって所定のフォーマットに圧縮されたのち、メディアコントロール回路８４を介してメモリカード７２に記録される。
【００３０】
一方、モード設定スイッチＳＷ１によってカメラモードが設定され、モードダイヤルＳＷ２によって再生モードが設定されると、まずメモリカード７２に記録されている最終コマの画像ファイルがメディアコントロール回路を介して読み出される。この読み出された画像ファイルの圧縮データは、圧縮・伸長回路８２を介して非圧縮のＹＣ信号に伸長される。
【００３１】
伸長されたＹＣ信号は、画像再生処理回路８６及びビデオエンコード回路８８を介してＮＴＳＣ方式のカラー複合映像信号に変換され、液晶モニタ４０に出力されるとともに、音声／映像出力端子５４（図５参照）に出力される。これにより、液晶モニタ４０にはメモリカード７２に記録されている最終コマのコマ画像が表示され、また、音声／映像出力端子５４にテレビが接続されている場合には、テレビに最終コマのコマ画像が表示される。
【００３２】
その後、順コマ送りスイッチＳＷ４が押されると、順方向にコマ送りされ、逆コマ送りスイッチＳＷ５が押されると、逆方向にコマ送りされる。そして、コマ送りされたコマ位置の画像ファイルがメモリカード７２から読み出され、上記と同様にしてコマ画像が液晶モニタ４０に再生される。尚、最終コマのコマ画像が表示されている状態で順方にコマ送りされると、メモリカード７２に記録されている１コマ目の画像ファイルが読み出され、１コマ目のコマ画像が液晶モニタ４０やテレビに再生される。
【００３３】
次に、上記デジタルカメラ１０のオーディオ再生機能について説明する。
【００３４】
このオーディオ再生機能は、メモリカード７２に記録されているＭＰ３フォーマットなどの音楽ファイルを再生するもので、モード設定スイッチＳＷ１によってオーディオモードが設定され、音声出力端子を含むリモコン端子５６にイヤホン付きのリモコンが接続されていると、カメラ内電源がＯＮとなり、音声再生が可能となる。尚、オーディオモードでは、ＣＰＵ７０はリモコンからのリモコン信号のみを受け付け、カメラ本体の電源スイッチを兼ねたモード設定スイッチＳＷ１以外のスイッチ入力は受け付けないようになっている。
【００３５】
デジタルカメラ１０がオーディオモードに設定された状態でリモコンの再生ボタンが押されると、メディアコントロール回路８４を介してメモリカード７２から音楽ファイルが読み出される。もちろん、メモリカード７２には、音楽ファイルがパソコンから直接、又はこのデジタルカメラ１０のデジタル端子５８（図４参照）を介してダウンロードされているものとする。
【００３６】
メモリカード７２から読み出された音楽ファイルの圧縮データは、圧縮・伸長回路８２を介して非圧縮の音楽データに伸長される。この伸長された音楽データは、音声処理回路９０によりＤ／Ａ変換等の処理が行われ、アナログ音声信号に変換される。変換された音声信号は、音声再生回路９２により増幅され、リモコン端子５６内の音声出力端子及びイヤホン（図示せず）を介して音声として出力される。
【００３７】
次に、図７乃至図１１のフローチャートを参照しながら上記デジタルカメラ１０の動作をレンズカバー２２の開閉制御を中心に説明する。
【００３８】
まず、図７に示すパワーオン処理について説明する。同図において、電源スイッチを兼ねたモード設定スイッチＳＷ１の操作により電源が投入されると、ＣＰＵ７０は、ＣＰＵ７０内の内部処理（ポートの設定）等のパワーオンリセット処理を行う（ステップＳ１０）。続いて、スイッチＳＷ１の状態に応じて分岐処理を行う（ステップＳ１２）。スイッチＳＷ１が中間位置（無操作）の場合にはＯＦＦモードとなり、ＣＰＵ７０はレンズカバー２２を閉じる処理を行い（ステップＳ１４）、その後、処理Ｂ（図９のステップＳ５０）に移行する。
【００３９】
ステップＳ１２において、スイッチＳＷ１がオーディオ位置にロックされオーディオモードが設定されると、レンズカバー２２を閉じる制御を行い（ステップＳ１６）、その後、オーディオモードの処理Ａ（図８のステップＳ２２）に移行する。
【００４０】
また、ステップＳ１２において、スイッチＳＷ１がＯＮ／ＯＦＦ位置に操作されてカメラモードが設定されると、更にモードダイヤルＳＷ２の状態に応じた分岐処理を行う（ステップＳ１８）。そして、撮影モードに設定されている場合には、ＣＰＵ７０はレンズカバー２２を開ける処理を行い（ステップＳ２０）、その後、撮影モードの処理Ｃ（図１０のステップＳ６０）に移行する。一方、再生モードに設定されている場合には、再生モードの処理Ｄ（図１１のステップＳ８０）に移行する。
【００４１】
次に、図８に示すオーディオモードの処理について説明する。同図のステップＳ２２の分岐処理において、スイッチＳＷ１がオーディオ位置でロックされオーディオモードが継続されている場合には、オーディオ再生中か否かを判別し（ステップＳ２４）、オーディオ再生中の場合にはステップＳ２２に戻り、オーディオ再生中でない場合にはメモリカード７２内のオーディオファイルを検索する（ステップＳ２６）。続いて、オーディオファイルの有無に応じた分岐処理を行う（ステップＳ２８）。そして、オーディオファイルがある場合には、そのオーディオファイルを読み出し、オーディオ再生を開始させ（ステップＳ３０）、ステップＳ２２に戻る。一方、オーディオファイルがない場合には、オーディオ再生を開始せずにステップＳ２２に戻る。
【００４２】
また、ステップＳ２２の分岐処理において、スイッチＳＷ１が中間位置に操作されＯＦＦモードが設定されると、続いてオーディオ再生中か否かを判別する（ステップＳ３２）。オーディオ再生中の場合にはオーディオ再生を停止させたのち（ステップＳ３４）、処理Ｂ（図９のステップＳ５０）に移行し、オーディオ再生中でない場合にはそのまま処理Ｂに移行する。
【００４３】
一方、ステップＳ２２の分岐処理において、スイッチＳＷ１がＯＮ／ＯＦＦ位置に操作されカメラモードが設定されると、続いてオーディオ再生中か否かを判別する（ステップＳ３６）。オーディオ再生中の場合にはオーディオ再生を停止させたのち（ステップＳ３８）、ステップＳ４０の分岐処理に移行し、オーディオ再生中でない場合にはそのままステップＳ４０の分岐処理に移行する。
【００４４】
ステップＳ４０では、スイッチＳＷ２により撮影モードが設定されているか、再生モードが設定されているかを判別し、撮影モードが設定されている場合には、レンズカバー２２を開ける処理を行い（ステップＳ４２）、その後、処理Ｃ（図１０のステップＳ６０）に移行する。一方、再生モードに設定されている場合には、レンズカバー２２の開閉処理を行わずに処理Ｄ（図１１のステップＳ８０）に移行する。
【００４５】
次に、図９に示すパワーオフ状態の処理について説明する。同図のステップＳ５０の分岐処理において、スイッチＳＷ１が中間位置の場合にはパワーオフ状態が継続し、オーディオ位置にロックされると、処理Ａ（図８のステップＳ２２）に移行する。一方、スイッチＳＷ１がＯＮ／ＯＦＦ位置に操作されてカメラモードが設定されると、更にスイッチＳＷ２により撮影モードが設定されているか、再生モードが設定されているかを判別する（ステップＳ５２）。
【００４６】
そして、撮影モードが設定されている場合には、レンズカバー２２を開ける処理を行い（ステップＳ５４）、その後、処理Ｃ（図１０のステップＳ６０）に移行する。一方、再生モードに設定されている場合には、レンズカバー２２の開閉処理を行わずに処理Ｄ（図１１のステップＳ８０）に移行する。
【００４７】
次に、図１０に示す撮影モードの処理について説明する。同図のステップＳ６０の分岐処理において、スイッチＳＷ１が中間位置の場合にはカメラモードが継続し、更にスイッチＳＷ２により撮影モードが設定されているか、再生モードが設定されているかを判別する（ステップＳ６２）。そして、再生モードが設定されている場合には、処理Ｄ（図１１のステップＳ８０）に移行する。一方、撮影モードが設定されている場合には、シャッターボタンＳＷ３がＯＮされたか否かを判別する。シャッターボタンＳＷ３がＯＮされた場合には、スチル撮影を行わせ、その撮影時によって得た１コマ分の画像データの圧縮処理、及び圧縮データのメモリカード７２への記録等を行わせ（ステップＳ６６）、その後、ステップＳ６０に戻る。一方、シャッターボタンＳＷ３がＯＮされない場合には、ステップＳ６６の処理を経由せずにステップＳ６０に戻る。
【００４８】
また、ステップＳ６０の分岐処理において、スイッチＳＷ１がオーディオ位置にロックされると、レンズカバー２２を閉じる処理を行い（ステップＳ６８）、その後、オーディオモードの処理Ａ（図８のステップＳ２２）に移行する。
【００４９】
同様に、ステップＳ６０の分岐処理において、スイッチＳＷ１がＯＮ／ＯＦＦ位置に操作されＯＦＦモードに設定されると、レンズカバー２２を閉じる処理を行い（ステップＳ７０）、その後、パワーオフ状態の処理Ｂ（図９のステップＳ５０）に移行する。
【００５０】
次に、図１１に示す再生モードについて説明する。同図のステップＳ８０の分岐処理において、スイッチＳＷ１が中間位置の場合にはカメラモードが継続し、更にスイッチＳＷ２により撮影モードが設定されているか、再生モードが設定されているかを判別する（ステップＳ８２）。そして、再生モードが設定されている場合には、順コマ送りスイッチＳＷ４又は逆コマ送りスイッチＳＷ５がＯＮされたか否かを判別する（ステップＳ８４、Ｓ８６）。
【００５１】
スイッチＳＷ４、ＳＷ５がともにＯＦＦの場合には、更に画像再生中か否かを判別し（ステップＳ８８）、再生中の場合にはステップＳ８０に戻り、再生中でない場合には画像の再生処理を行ったのち（ステップＳ９０）、ステップＳ８０に戻る。
【００５２】
一方、スイッチＳＷ４がＯＮされた場合には、順方向に１コマ送りする画像の再生処理を行ったのち（ステップＳ９２）、ステップＳ８０に戻り、スイッチＳＷ５がＯＮされた場合には、逆方向に１コマ送りする画像の再生処理を行ったのち（ステップＳ９４）、ステップＳ８０に戻る。
【００５３】
また、ステップＳ８０の分岐処理において、スイッチＳＷ１がオーディオ位置にロックされてオーディオモードが設定されると、画像の再生処理を中止し（ステップＳ１００）、レンズカバー２２を閉じる処理を行い（ステップＳ１０２）、その後、オーディオモードの処理Ａ（図８のステップＳ２２）に移行する。
【００５４】
同様に、ステップＳ８０の分岐処理において、スイッチＳＷ１がＯＮ／ＯＦＦ位置に操作されてＯＦＦモードが設定されると、画像の再生処理を中止し（ステップＳ１０４）、レンズカバー２２を閉じる処理を行い（ステップＳ１０６）、その後、パワーオフ状態の処理Ｂ（図９のステップＳ５０）に移行する。尚、再生モード時において、レンズカバー２２が閉じている場合には、ステップＳ１０２、１０６におけるレンズカバー２２を閉じる処理は省略される。
【００５５】
尚、この実施の形態では、カメラと無関係な機能としてオーディオ機能を例に説明したが、これに限らず、電子ブック機能、電子手帳機能、あるいは携帯電話機能が考えられる。そして、これらの機能のうちの少なくとも１つの機能を備えたデジタルカメラにおいて、カメラと無関係な機能を実現するモードが設定された場合には、レンズカバーを閉じるようにする。また、本発明はデジタルカメラに限らず、デジタルビデオカメラにも適用できる。
【図面の簡単な説明】
【００５６】
【図１】本発明が適用されたデジタルカメラの外観を示す正面図
【図２】図１に示したデジタルカメラの背面図
【図３】図１に示したデジタルカメラの平面図
【図４】図１に示したデジタルカメラの底面図
【図５】図１に示したデジタルカメラの右側面図
【図６】前記デジタルカメラの内部構成を示したブロック図
【図７】前記デジタルカメラのパワーオン処理時の動作を説明するために用いたフローチャート
【図８】前記デジタルカメラのオーディオモード時の動作を説明するために用いたフローチャート
【図９】前記デジタルカメラのパワーオフ状態の動作を説明するために用いたフローチャート
【図１０】前記デジタルカメラの撮影モード時の動作を説明するために用いたフローチャート
【図１１】前記デジタルカメラの再生モード時の動作を説明するために用いたフローチャート
【符号の説明】
【００５７】
１０…デジタルカメラ、１２…撮影レンズ、２２…レンズカバー、４０…液晶モニタ、５６…音声出力端子を含むリモコン端子、６２…ドライバ、６４…モータ、７０…中央処理装置（ＣＰＵ）、７２…メモリカード（スマートメディア）、７４…ＣＣＤ、８０…画像信号処理回路、８２…圧縮・伸長処理回路、８４…メディアコントロール回路、８６…画像再生処理回路、９０…音声処理回路、９２…音声再生回路、ＳＷ１…電源スイッチを兼ねたモード設定スイッチ、ＳＷ２…モードダイヤル、ＳＷ３…シャッターボタン、ＳＷ４…順コマ送りスイッチ、ＳＷ５…逆コマ送りスイッチ
【図１】
0004753101.tif 000002
【図２】
0004753101.tif 000003
【図３】
0004753101.tif 000004
【図４】
0004753101.tif 000005
【図５】
0004753101.tif 000006
【図６】
0004753101.tif 000007
【図７】
0004753101.tif 000008
【図８】
0004753101.tif 000009
【図９】
0004753101.tif 000010
【図１０】
0004753101.tif 000011
【図１１】
0004753101.tif 000012